(57)【要約】【課題】放送データとネットワークデータを受信する受信機及び受信方法を提供する。【解決手段】放送データを取得する放送データ処理装置２と、ネットワークデータを取得するネットワークデータ処理装置３と、ネットワークデータ処理装置３を介して、コンテンツ提供サーバから表示装置に提示可能なネットワークデータを取得するネットワークデータ取得手段５ｂと、ネットワークデータ取得手段５ｂで取得した表示装置に提示可能なネットワークデータに基づいて、表示装置に提示可能なネットワークデータに、放送データ処理装置において取得した映像データを合成して表示装置に提示させる映像処理手段７を備える。【選択図】図１
2005033764.tif 000002
【特許請求の範囲】
【請求項１】
放送局から送信された放送データを受信し、通信ネットワークを介してコンテンツ提供サーバからネットワークデータを受信して、表示装置に提示させる受信機において、
前記放送データを取得する放送データ処理装置と、
前記ネットワークデータを取得するネットワークデータ処理装置と、
前記ネットワークデータ処理装置を介して、前記コンテンツ提供サーバから前記表示装置に提示可能なネットワークデータを取得するネットワークデータ取得手段と、
前記ネットワークデータ取得手段で取得した前記表示装置に提示可能なネットワークデータに基づいて、前記表示装置に提示可能なネットワークデータに、前記放送データ処理装置において取得した前記放送データのうち映像にかかる映像データを合成して前記表示装置に提示させる映像処理手段と
を備えることを特徴とする受信機。
【請求項２】
前記ネットワークデータ取得手段において、前記コンテンツ提供サーバに前記ネットワークデータの取得を要求し、前記コンテンツ提供サーバからの応答に応じて、前記コンテンツ提供サーバから表示装置に提示可能なデータを要求し取得する
ことを特徴とする請求項１に記載の受信機。
【請求項３】
前記ネットワークデータの属性を記憶するユーザデータ制御手段を更に備えており、
前記ネットワークデータ取得手段において、前記ユーザデータ制御手段で記憶された前記ネットワークデータの属性に基づいて、前記コンテンツ提供サーバに前記ネットワークデータの取得を要求し、前記コンテンツ提供サーバからの応答に応じて、前記コンテンツ提供サーバから表示装置に提示可能なデータを要求し取得する
ことを特徴とする請求項１に記載の受信機。
【請求項４】
前記ネットワークデータの属性を記憶するユーザデータ制御手段を更に備えており、
前記ネットワークデータ取得手段は、前記ユーザデータ制御手段で記憶された前記ネットワークデータの有無の取得を要求し、前記ネットワークデータがある場合、前記コンテンツ提供サーバに前記表示装置に提示可能なネットワークデータを要求し取得する
ことを特徴とする請求項１に記載の受信機。
【請求項５】
前記ネットワークデータ取得手段によって取得する前記ネットワークデータの属性と、前記表示装置に提示する前記ネットワークデータの条件を記憶するユーザデータ制御手段を更に備えており、
前記ネットワークデータ取得手段は、前記ユーザデータ制御手段で記憶された前記ネットワークデータの属性に基づいて前記コンテンツ提供サーバに前記ネットワークデータの取得を要求し、前記ネットワークデータが前記ユーザデータ制御手段に記憶された前記前記表示装置に提示するネットワークデータの条件に一致する場合、前記表示装置に提示可能なネットワークデータを要求し取得する
ことを特徴とする請求項１に記載の受信機。
【請求項６】
前記コンテンツ提供サーバは、交通機関の運行情報を提供するサーバであって、
前記交通機関の路線、方面、駅のいずれか一つ以上の前記運行情報の属性を記憶するユーザデータ制御手段を更に備えており、
前記ネットワークデータ取得手段において、前記コンテンツ提供サーバに前記取得する運行情報の属性に適合する前記運行情報の有無の取得を要求し、前記適合する運行情報がある場合、前記コンテンツ提供サーバから表示装置に提示可能な前記運行情報のデータを要求し取得する
ことを特徴とする請求項１に記載の受信機。
【請求項７】
前記ユーザデータ制御手段は、前記コンテンツ提供サーバに前記ネットワークデータの問合を行う日、問合を行う時間帯、問合を行う時間間隔のいずれか一つ以上の前記コンテンツ提供サーバに前記運行情報の取得を要求する条件を更に記憶しており、
前記ネットワークデータ取得手段において、前記運行情報の取得を要求する条件に従って、前記コンテンツ提供サーバに前記運行情報の有無の取得を要求する
ことを特徴とする請求項６に記載の受信機。
【請求項８】
前記ユーザデータ制御手段は、前記表示装置に提示する条件を更に記憶しており、
前記ネットワークデータ取得手段において、前記表示装置に提示する条件に従って、前記コンテンツ提供サーバに前記運行情報の有無の取得を要求する
ことを特徴とする請求項６又は７に記載の受信機。
【請求項９】
放送局から送信された放送データを受信し、通信ネットワークを介してコンテンツ提供サーバからネットワークデータを受信して、表示装置に提示させる受信方法において、
放送データ処理装置によって前記放送データを取得するステップと、
ネットワークデータ処理手段によって前記ネットワークデータを取得するステップと、
ネットワークデータ取得手段によって前記ネットワークデータ処理手段を介して、前記コンテンツ提供サーバから前記表示装置に提示可能なネットワークデータを取得するステップと、
映像処理手段によって、前記ネットワークデータ取得手段で取得した前記表示装置に提示可能なネットワークデータに基づいて、前記表示装置に提示可能なネットワークデータに、前記放送データ処理装置において取得した前記放送データのうち映像にかかる映像データを合成して前記表示装置に提示させるステップと  を備えることを特徴とする受信方法。
【請求項１０】
前記ネットワークデータ取得手段によって前記表示装置に提示可能なネットワークデータを取得するステップにおいて、前記コンテンツ提供サーバに前記ネットワークデータの取得を要求し、前記コンテンツ提供サーバからの応答に応じて、前記コンテンツ提供サーバから表示装置に提示可能なデータを要求し取得する
ことを特徴とする請求項９に記載の受信方法。
【請求項１１】
ユーザデータ制御手段によって、前記ネットワークデータの属性を記憶するステップを更に備えており、
前記ネットワークデータ取得手段によって前記表示装置に提示可能なネットワークデータを取得するステップにおいて、前記ユーザデータ制御手段によって記憶された前記ネットワークデータの属性に基づいて、前記コンテンツ提供サーバに前記ネットワークデータの取得を要求し、前記コンテンツ提供サーバからの応答に応じて、前記コンテンツ提供サーバから表示装置に提示可能なデータを要求し取得する
ことを特徴とする請求項９に記載の受信方法。
【請求項１２】
ユーザデータ制御手段によって、前記ネットワークデータの属性を記憶するステップを更に備えており、
前記ネットワークデータ取得手段によって前記表示装置に提示可能なネットワークデータを取得するステップは、前記ユーザデータ制御手段で記憶された前記ネットワークデータの有無の取得を要求し、前記ネットワークデータがある場合、前記コンテンツ提供サーバに前記表示装置に提示可能なネットワークデータを要求し取得する
ことを特徴とする請求項９に記載の受信方法。
【請求項１３】
ユーザデータ制御手段によって、前記ネットワークデータ取得手段によって取得する前記ネットワークデータの属性と、前記表示装置に提示する前記ネットワークデータの条件を記憶するステップを更に備えており、
前記ネットワークデータ取得手段によって前記表示装置に提示可能なネットワークデータを取得するステップは、前記ユーザデータ制御手段で記憶された前記ネットワークデータの属性に基づいて前記コンテンツ提供サーバに前記ネットワークデータの取得を要求し、前記ネットワークデータが前記ユーザデータ制御手段に記憶された前記表示装置に提示するネットワークデータの条件に一致する場合、前記表示装置に提示可能なネットワークデータを要求し取得する
ことを特徴とする請求項９に記載の受信方法。
【請求項１４】
前記コンテンツ提供サーバは、交通機関の運行情報を提供するサーバであって、
ユーザデータ制御手段によって前記交通機関の路線、方面、駅のいずれか一つ以上の前記運行情報の属性を記憶するステップを更に備えており、
前記ネットワークデータ取得手段によって前記表示装置に提示可能なネットワークデータを取得するステップにおいて、前記コンテンツ提供サーバに前記取得する運行情報の属性に適合する前記運行情報の有無の取得を要求し、前記適合する運行情報がある場合、前記コンテンツ提供サーバから表示装置に提示可能な前記運行情報のデータを要求し取得する
ことを特徴とする請求項９に記載の受信方法。
【請求項１５】
前記ユーザデータ制御手段によって記憶するステップは、前記コンテンツ提供サーバに前記ネットワークデータの問合を行う日、問合を行う時間帯、問合を行う時間間隔のいずれか一つ以上の前記コンテンツ提供サーバに前記運行情報の取得を要求する条件を更に記憶しており、
前記ネットワークデータ取得手段によって前記表示装置に提示可能なネットワークデータを要求し取得するステップにおいて、前記運行情報の取得を要求する条件に従って、前記コンテンツ提供サーバに前記運行情報の有無の取得を要求し、前記適合する運行情報がある場合、前記コンテンツ提供サーバから表示装置に提示可能な前記運行情報のデータを要求し取得する
ことを特徴とする請求項１４に記載の受信方法。
【請求項１６】
前記ユーザデータ制御手段は、前記表示装置に提示する条件を更に記憶しており、
前記ネットワークデータ取得手段によって前記表示装置に提示可能なネットワークデータを要求し取得するステップにおいて、前記表示装置に提示する条件に従って、前記コンテンツ提供サーバに前記運行情報の有無の取得を要求する
ことを特徴とする請求項１４又は１５に記載の受信方法。
【発明の詳細な説明】
【技術分野】
【０００１】
本発明は、放送データとネットワークデータを受信する受信機及び受信方法に関する。
【背景技術】
【０００２】
最近、デジタルテレビ放送が普及している。デジタルテレビ放送では、地上波或いは衛星波を利用して、デジタルデータで各家庭のテレビに放送を配信し、テレビに内蔵された受信機でデジタルデータを受信し、復号化を行いテレビの表示装置に表示する。ここで配信されるデジタルデータは、ＭＰＥＧで記述された映像データと、ＢＭＬ（Broadcast Markup Language）で記述されたデータ放送のデータとを含む。
【０００３】
ここでＢＭＬとは、ＡＲＩＢ(Association of Radio Industries and Businesses：社団法人電波産業会)によって策定された、ＸＭＬ（eXtensible Markup Language）ベースのデータ放送向けのページ記述言語である。ＢＭＬのデジタルデータを用いた放送の特徴として、インタラクティブ性やインターネットへのリンクが可能となった。
【０００４】
一方、インターネット等の通信ネットワークを利用したサービス、コンテンツ等の提供も多く行われており、各家庭の通信ネットワーク普及率は著しいものがある。インターネットにおいては、良く知られるようにウェブページを記述するためのマークアップ言語であるＨＴＭＬ（Hyper Text Markup Language）で記載されている。
【０００５】
これらの状況を踏まえ、インターネットを閲覧することのできるテレビも市販されている。
【０００６】
例えば、テレビでインターネットを閲覧させるものとして、デジタル放送局において、番組と当該番組に多畳表示させるシンボルとを所定の記号で合成して放送するものがある（例えば、特許文献１）。
【特許文献１】特開２００２−１９９３７５号公報
【発明の開示】
【発明が解決しようとする課題】
【０００７】
しかし、上述した特許文献１においては、放送局が提供する番組に多畳表示させるコンテンツを予め選択している。この結果、多畳表示されるコンテンツとしては、「放送」として全てのユーザに均一に配信されるので、番組に特化した情報である場合が多い。従って、多くの番組の中からユーザが所望するコンテンツを選択できず、又、天気情報や運行情報など、ユーザの地域に依存する情報をユーザが自らの意思で取得するのは非常に困難であった。
【０００８】
又、ＢＭＬで記載されたデータを表示する場合、ＢＭＬブラウザが必要となり、ＨＴＭＬで記載されたデータを表示する場合、ＨＴＭＬブラウザが必要となる。ＢＭＬブラウザとＨＴＭＬブラウザは互換性がなく、一つのテレビにおいて、ＢＭＬで記載されたデータとＨＴＭＬで記載されたデータの両方を閲覧することはできず、例えばインターネットを介して地域情報を取得する場合、ＢＭＬブラウザを終了させ、新たにＨＴＭＬブラウザを起動させる必要があった。
【０００９】
この様に、ユーザは、所望するコンテンツを取得する場合、放送局から提供される情報から選択するか、或いは放送の閲覧を中止してインターネットを介して情報を取得しなければならなかった。デジタルテレビの一つの特徴が映像データとコンテンツとを一つの画面で提示することであるにもかかわらず、従って従来の方法においては、映像データとユーザが所望する任意のコンテンツを一つの画面でユーザに閲覧させることができなかった。
【００１０】
従って、本発明の目的は、放送データとネットワークデータを受信する受信機及び受信方法を提供することである。
【課題を解決するための手段】
【００１１】
上記課題を解決するために、本発明は、放送局から送信された放送データを受信し、通信ネットワークを介してコンテンツ提供サーバからネットワークデータを受信して、表示装置に提示させる受信機において、放送データを取得する放送データ処理装置と、ネットワークデータを取得するネットワークデータ処理装置と、ネットワークデータ処理装置を介して、コンテンツ提供サーバから表示装置に提示可能なネットワークデータを取得するネットワークデータ取得手段と、ネットワークデータ取得手段で取得した表示装置に提示可能なネットワークデータに基づいて、表示装置に提示可能なネットワークデータに、放送データ処理装置において取得した放送データのうち映像にかかる映像データを合成して表示装置に提示させる映像処理手段とを備える。
【００１２】
この様に本発明によれば、ユーザが任意に選択した放送データとネットワークデータの両方を取得することができる。
【００１３】
又、ネットワークデータ取得手段において、コンテンツ提供サーバにネットワークデータの取得を要求し、コンテンツ提供サーバからの応答に応じて、コンテンツ提供サーバから表示装置に提示可能なデータを要求し取得することが好ましい。
【００１４】
この場合、受信機からデータの取得を要求し提示するので、ユーザによって異なるデータを、ユーザの要求によって取得することができるので、よりインタラクティブ性を向上させることができる。
【００１５】
又、ネットワークデータの属性を記憶するユーザデータ制御手段を更に備えており、ネットワークデータ取得手段において、ユーザデータ制御手段で記憶されたネットワークデータの属性に基づいて、コンテンツ提供サーバにネットワークデータの取得を要求し、コンテンツ提供サーバからの応答に応じて、コンテンツ提供サーバから表示装置に提示可能なデータを要求し取得することが好ましい。
【００１６】
この場合、取得するネットワークデータの属性を記憶することにより、ユーザが定期的に欲しい情報、例えば、交通機関の運行情報や、バスの位置情報、天気予報などを登録することができる。
【００１７】
又、ネットワークデータの属性を記憶するユーザデータ制御手段を更に備えており、ネットワークデータ取得手段は、ユーザデータ制御手段で記憶されたネットワークデータの有無の取得を要求し、ネットワークデータがある場合、コンテンツ提供サーバに表示装置に提示可能なネットワークデータを要求し取得することが好ましい。
【００１８】
この場合、ネットワークデータの有無を取得し、その後に表示装置に提示可能なネットワークデータを要求し取得するので、ネットワークトラフィックを軽減させることができる。
【００１９】
又、前記ネットワークデータ取得手段によって取得するネットワークデータの属性と、前記表示装置に提示するネットワークデータの条件を記憶するユーザデータ制御手段を更に備えており、ネットワークデータ取得手段は、ユーザデータ制御手段で記憶されたネットワークデータの属性に基づいてコンテンツ提供サーバにネットワークデータの取得を要求し、ネットワークデータがユーザデータ制御手段に記憶された前記表示装置に提示するネットワークデータの条件に一致する場合、表示装置に提示可能なネットワークデータを要求し取得することが好ましい。
【００２０】
この場合、取得した情報を比較して、情報を提示するか否かを受信機において決定することができる。
【００２１】
又、コンテンツ提供サーバは、交通機関の運行情報を提供するサーバであって、交通機関の路線、方面、駅のいずれか一つ以上の運行情報の属性を記憶するユーザデータ制御手段を更に備えており、ネットワークデータ取得手段において、コンテンツ提供サーバに取得する運行情報の属性に適合する運行情報の有無の取得を要求し、適合する運行情報がある場合、コンテンツ提供サーバから表示装置に提示可能な運行情報のデータを要求し取得することが好ましい。
【００２２】
この場合、ユーザの生活圏に応じた交通機関の路線、方面、駅を登録することにより、よりユーザの望む情報を提供することができる。
【００２３】
又、ユーザデータ制御手段は、前記コンテンツ提供サーバに前記ネットワークデータの問合を行う日、問合を行う時間帯、問合を行う時間間隔のいずれか一つ以上のコンテンツ提供サーバに運行情報の取得を要求する条件を更に記憶しており、ネットワークデータ取得手段において、運行情報の取得を要求する条件に従って、コンテンツ提供サーバに運行情報の有無の取得を要求することが好ましい。
【００２４】
この場合、ユーザの生活に合わせて、取得する運行情報の条件を設定することができる。例えば、ユーザが朝出勤する勤務者であった場合、平日の朝に通勤に利用する交通機関の運行情報を調べることになる。
【００２５】
又、ユーザデータ制御手段は、表示装置に提示する条件を更に記憶しており、ネットワークデータ取得手段において、表示装置に提示する条件に従って、コンテンツ提供サーバに運行情報の有無の取得を要求することが好ましい。
【００２６】
この場合、例えば何も運行情報がない場合、画面に提示しないようにできるので、ユーザの放送データの閲覧の邪魔をすることがない。
【００２７】
本発明は、放送局から送信された放送データを受信し、通信ネットワークを介してコンテンツ提供サーバからネットワークデータを受信して、表示装置に提示させる受信方法において、放送データ処理手段によって放送データを取得するステップと、ネットワークデータ処理手段によってネットワークデータを取得するステップと、ネットワークデータ取得手段によってネットワークデータ処理装置を介して、コンテンツ提供サーバから表示装置に提示可能なネットワークデータを取得するステップと、映像処理手段によって、ネットワークデータ取得手段で取得した表示装置に提示可能なネットワークデータに基づいて、表示装置に提示可能なネットワークデータに、放送データ処理装置において取得した放送データのうち映像にかかる映像データを合成して表示装置に提示させるステップとを備える。
【００２８】
又、ネットワークデータ取得手段によって表示装置に提示可能なネットワークデータを取得するステップにおいて、コンテンツ提供サーバにネットワークデータの取得を要求し、コンテンツ提供サーバからの応答に応じて、コンテンツ提供サーバから表示装置に提示可能なデータを要求し取得することが好ましい。
【００２９】
又、ユーザデータ制御手段によって、ネットワークデータの属性を記憶するステップを更に備えており、ネットワークデータ取得手段によって表示装置に提示可能なネットワークデータを取得するステップにおいて、ユーザデータ制御手段によって記憶された取得するネットワークデータの属性に基づいて、コンテンツ提供サーバにネットワークデータの取得を要求し、コンテンツ提供サーバからの応答に応じて、コンテンツ提供サーバから表示装置に提示可能なデータを要求し取得することが好ましい。
【００３０】
又、ユーザデータ制御手段によって、ネットワークデータの属性を記憶するステップを更に備えており、ネットワークデータ取得手段によって表示装置に提示可能なネットワークデータを取得するステップは、ユーザデータ制御手段で記憶されたネットワークデータの有無の取得を要求し、ネットワークデータがある場合、コンテンツ提供サーバに表示装置に提示可能なネットワークデータを要求し取得することが好ましい。
【００３１】
又、ユーザデータ制御手段によって、前記ネットワークデータ取得手段によって取得するネットワークデータの属性と、前記表示装置に提示するネットワークデータの条件を記憶するステップを更に備えており、ネットワークデータ取得手段によって表示装置に提示可能なネットワークデータを取得するステップは、ユーザデータ制御手段で記憶されたネットワークデータの属性に基づいてコンテンツ提供サーバにネットワークデータの取得を要求し、ネットワークデータがユーザデータ制御手段に記憶された前記表示装置に提示するネットワークデータの条件に一致する場合、表示装置に提示可能なネットワークデータを要求し取得することが好ましい。
【００３２】
又、コンテンツ提供サーバは、交通機関の運行情報を提供するサーバであって、ユーザデータ制御手段によって交通機関の路線、方面、駅のいずれか一つ以上の運行情報の属性を記憶するステップを更に備えており、ネットワークデータ取得手段によって表示装置に提示可能なネットワークデータを取得するステップにおいて、コンテンツ提供サーバに取得する運行情報の属性に適合する運行情報の有無の取得を要求し、適合する運行情報がある場合、コンテンツ提供サーバから表示装置に提示可能な運行情報のデータを要求し取得することが好ましい。
【００３３】
又、ユーザデータ制御手段によって記憶するステップは、前記コンテンツ提供サーバに前記ネットワークデータの問合を行う日、問合を行う時間帯、問合を行う時間間隔のいずれか一つ以上のコンテンツ提供サーバに運行情報の取得を要求する条件を更に記憶しており、ネットワークデータ取得手段によって表示装置に提示可能なネットワークデータを要求し取得するステップにおいて、運行情報の取得を要求する条件に従って、コンテンツ提供サーバに運行情報の有無の取得を要求し、適合する運行情報がある場合、コンテンツ提供サーバから表示装置に提示可能な運行情報のデータを要求し取得することが好ましい。
【００３４】
又、ユーザデータ制御手段は、表示装置に提示する条件を更に記憶しており、ネットワークデータ取得手段によって表示装置に提示可能なネットワークデータを要求し取得するステップにおいて、表示装置に提示する条件に従って、コンテンツ提供サーバに運行情報の有無の取得を要求することが好ましい。
【発明の効果】
【００３５】
本発明によれば、放送データとネットワークデータを受信する受信機及び受信方法を提供することができる。
【発明を実施するための最良の形態】
【００３６】
次に、図面を参照して、本発明の実施の形態を説明する。以下の図面の記載において、同一又は類似の部分には同一又は類似の符号を付している。
【００３７】
（第１の実施の形態）
まず、本発明の実施の形態に係る受信機１について説明する。
【００３８】
本発明の実施の形態に係る受信機１は、図２に示すように例えばデジタルテレビ１１に内蔵される。本発明の実施の形態に係る受信機を備えたデジタルテレビ１１は、放送局に備えられた放送データ送信機３０から電波塔３０ａを介して放送データを受信する。この放送を構成する文字、図形、静止画、映像、音声などのマルチメディアコンテンツは、受信機１で一時的に蓄えられて視聴される。
【００３９】
ここで受信する放送データは、データの記述言語にはＢＭＬが、又動画圧縮技術にはＭＰＥＧ２が採用されている。ＢＭＬは、映像の合成表示、ＥＰＧ（Electronic Program Guide：電子番組ガイド）情報との連携、双方向通信などを行うことができる。
【００４０】
放送データ送信機３０から送信される放送を構成するマルチメディアコンテンツは、ＭＰＥＧ２で規定されたデータカルーセル方式（最大254MB程度のファイルを4kB程度の「ブロック」に分割し、これらのブロック群のデータを回転木馬、つまりカルーセルのようにループさせて構成した信号をパケットにより伝送する方式）が採用されているので、信号が繰り返し放送される。これにより、受信者がいつ放送の視聴を介ししても放送データの信号を取り込むことができる。
【００４１】
一方、デジタルテレビ１１は、受信機１を介して、通信ネットワーク５０を介して、通信ネットワーク上のサーバ、即ちコンテンツ提供サーバ２０及び鉄道会社サーバ４０に接続されており、相互通信が可能である。ここで、通信ネットワーク５０とは、インターネット、パソコン通信等のことであり、鉄道会社サーバ４０、コンテンツ提供サーバ２０は、ＬＡＮカード、モデム、ＴＡなどを介して通信ネットワーク５０に接続することができる。
【００４２】
即ちコンテンツ提供サーバ２０は、通信ネットワーク５０を介してデジタルテレビ１１にコンテンツを提供するサーバであって、コンテンツの一例として鉄道会社が運営する鉄道会社サーバ４０から提供される運行情報が挙げられる。コンテンツ提供サーバ２０は、提供するコンテンツをデジタルテレビ１１に提示できる形式で提供する。
【００４３】
図２から分かるように、本発明の実施の形態に係る受信機１は、放送データ送信機３０から送信された放送データと、通信ネットワーク５０を介してコンテンツ提供サーバ２０から送信されるネットワークデータとを受信し、デジタルテレビ１１の提示部である表示装置に、放送データとネットワークデータを提示することができる。
【００４４】
本発明の実施の形態に係る受信機１は、図３に示すような画面レイアウトで受信したデータを表示装置に提示させる。即ち、表示装置の提示部１０１は、放送データ送信機３０から送信される放送データを提示する放送データ提示部１０２と、コンテンツ提供サーバ２０から送信されるネットワークデータを提示するネットワークデータ提示部１０３を備えている。放送データ提示部１０２及びネットワークデータ提示部１０３は、いかなる形状であっても良い。好ましくは、放送データは、縦と横の大きさの割合が予め決定しているので、縦と横を等倍で縮小した大きさを放送データ提示部１０２とし、提示部１０１から放送データ提示部１０２を除いた部分をネットワークデータ提示部１０３とする。図３においては、ネットワークデータ提示部１０３は、右下隅に配置されているが、左上でも、右下でも構わない。
【００４５】
図１に示すように、本発明の第１の実施の形態に係る受信機１は、放送データ処理装置２、ネットワークデータ処理装置３、記憶装置４、制御手段５、音声処理手段６、映像処理手段７、時計装置８、入力インタフェース装置９を備えている。これらは、バス１０を介して互いに送受信可能である。
【００４６】
本発明の第１の実施の形態においては、受信機１がコンテンツ提供サーバ２０から運行情報を取得する場合について記載する。
【００４７】
放送データ処理装置２は、放送データ送信機３０から放送データを取得する装置である。更に、放送データ処理装置２は、放送データの復調をし、ＭＰＥＧデータのデコードを行い、
映像データを映像処理手段７へ、音声データを音声処理手段６へ、データ放送用のデータを制御手段５内の放送ＢＭＬ制御手段５ｄへ、それぞれ出力する。
【００４８】
ネットワークデータ処理装置３は、通信ネットワーク５０を介してコンテンツ提供サーバ２０からネットワークデータを取得する装置である。具体的には、ＬＡＮカード、モデムなどが相当する。ネットワークデータ処理装置３が処理するデータは、好ましくはＢＭＬで記載されているが、ＨＴＭＬで記載されていても良い。ＢＭＬで記載されている場合、後述するように一つの表示画面に放送データとネットワークデータを合成して提示することができる。
【００４９】
記憶装置４は、受信機１で利用されるデータや、プログラム、プログラムで利用するテンポラリファイルなどを記憶する記憶装置である。その実装手段としてはブラウザが管理するCookieとしてもよいし、受信機のプログラムが管理する別の領域としてもよい。
【００５０】
記憶装置４は、受信機１で利用するデータとして、前記ネットワークデータの属性を記憶するユーザデータ記憶装置４ａと、放送データ処理装置２及びネットワークデータ処理装置３から受信したＢＭＬ情報を一時保存するＢＭＬ情報記憶装置４ｂを備えている。ＢＭＬ情報記憶装置４ｂには、デジタルテレビ１１に予め記憶されている、例えばユーザデータを登録するＢＭＬ情報が記憶されていても良い。
【００５１】
図４を参照して、ユーザデータ記憶装置４ａのデータ構造とデータの一例を説明する。
【００５２】
ユーザデータ記憶装置４ａは、交通機関の路線、方面、駅のいずれか一つ以上のネットワークデータの属性の項目と、コンテンツ提供サーバ２０にネットワークデータの問合を行う日、問合を行う時間帯、問合を行う時間間隔（インターバル）のいずれか一つ以上の、コンテンツ提供サーバ２０に運行情報の取得を要求する条件の項目と、デジタルテレビ１１の表示装置に提示する条件の項目を備えている。
【００５３】
交通機関の路線、方面、駅などを指定して、受信機１が取得する運行情報の属性が決定される。これにより、ユーザの利用する地域に特定した運行情報を取得することができる。又、日、問合時間帯、問合を送信する時間間隔などの取得を要求する条件が決定される。この場合、「日」は、日付でも曜日でも月でも構わない。即ち、「平日の６時から９時の間に５分おきに要求する」などと指定することにより、ユーザの生活サイクルに応じた時間帯にのみ、運行情報の取得を行うことができる。更に、「常に表示」や「運行情報がある場合のみ表示」などの項目を設定することにより、ユーザの必要に応じて運行情報を提示させるように指定することができる。更に、「５分以上遅れている場合のみ表示」など、表示する条件の中に、遅延時間が入力されても良い。
【００５４】
ユーザデータ記憶装置４ａには、ネットワークデータを提示する位置やその大きさに関する情報が記憶されていても良い。
【００５５】
制御手段５は、ユーザデータ制御手段５ａ、ネットワークデータ取得手段５ｂ、ネットワークＢＭＬ情報制御手段５ｃ、放送ＢＭＬ情報制御手段５ｄ、ＢＭＬ情報処理手段５ｅを備えている。
【００５６】
ユーザデータ制御手段５ａは、ＢＭＬ情報記憶装置４ｂに記憶されたユーザデータを設定するＢＭＬ情報をロードし、ユーザにユーザデータを設定させ、ユーザデータ記憶装置４ａに記憶する手段である。
【００５７】
ネットワークデータ取得手段５ｂは、ユーザデータ記憶装置４ａに記憶された運行情報の取得を要求する条件に従って、ネットワークデータ処理装置３を介してコンテンツ提供サーバ２０に運行情報を要求する手段である。更に、コンテンツ提供サーバ２０から表示装置に提示可能なデータを取得する。デジタルテレビ１１に提示する場合、ＢＭＬ情報（表示装置に提示可能なネットワークデータ）も取得する。問合を送信する時間帯及び頻度は、ユーザデータ記憶装置４ａの取得を要求する条件に従う。ネットワークデータ取得手段５ｂによるネットワークデータの取得の仕方は、以下の様に３通り考えられる。
【００５８】
（１）ネットワークデータ取得手段５ｂが、ユーザデータ記憶装置４ａに記憶された運行情報の属性に適合する運行情報を提示するＢＭＬ情報を取得する。この場合、デジタルテレビ１１に常に運行情報を提示する場合、即ち、表示条件が「常に表示」である場合に好適である。
【００５９】
（２）ネットワークデータ取得手段５ｂが、ユーザデータ記憶装置４ａに記憶された運行情報の属性に適合する運行情報の有無を問い合わせ、運行情報がある場合に、ＢＭＬ情報を取得する。この場合、表示条件が「運行情報がある場合のみ表示」である場合に好適である。即ち、運行情報がある場合のみＢＭＬ情報を取得するので、通信ネットワーク５０やコンテンツ提供サーバ２０の負荷を軽減することができる。ここで、運行情報の有無を問い合わせる場合、コンテンツ提供サーバ２０と受信機１との間で任意のプロトコルで送信される。
【００６０】
（３）ネットワークデータ取得手段５ｂが、ユーザデータ記憶装置４ａに記憶された運行情報の属性と、表示装置に提示する条件とに適合する運行情報の有無を問い合わせ、運行情報がある場合に、ＢＭＬ情報を取得する。この場合、表示条件が例えば「運行情報が５分以上遅れている場合のみ表示」などの場合に好適である。
【００６１】
（４）ネットワークデータ取得手段５ｂが、ユーザデータ記憶装置４ａに記憶された運行情報に適合する運行情報を取得し、取得した遅延時間と表示条件とを比較して、表示条件に適合した場合、ＢＭＬ情報を取得する。この場合、表示条件が例えば「運行情報が５分以上遅れている場合のみ表示」などの場合に好適で、更に、表示するか否かの判断を受信機１で行っているので、コンテンツ提供サーバ２０の負荷を軽減することができる。
【００６２】
ネットワークデータ取得手段５ｂで取得するネットワークデータであるＢＭＬ情報は、図３に示すネットワークデータ提示部１０３に提示する場合に必要な情報で、提示する情報、ネットワークデータ提示部１０３の形状などの情報が含まれている。更に、放送データ提示部１０２には、放送データを合成できるように透明な画面が割り当てられている。
【００６３】
ネットワークＢＭＬ情報制御手段５ｃは、ネットワークデータ処理装置３で取得したネットワークデータであるＢＭＬ情報をＢＭＬ情報記憶装置４ｂに一時記憶する手段である。
【００６４】
放送ＢＭＬ情報制御手段５ｄは、ユーザの指示に従い放送データ送信機３０に提示する放送チャンネルを指定し、放送データ処理装置２によって受信した放送ＢＭＬ情報をＢＭＬ情報記憶装置４ｂに一時記憶する手段である。
【００６５】
ＢＭＬ情報処理手段５ｅは、ＢＭＬ情報記憶装置４ｂに記憶されたネットワークデータ及び放送データのＢＭＬ情報を読み出し、ロードし、表示装置に表示するネットワークデータプレーン及び放送データプレーンをそれぞれ作成し、映像処理手段７に出力する手段である。
【００６６】
映像処理手段７は、ネットワークデータ取得手段５ｂで取得した表示装置に提示可能なネットワークデータ（ＢＭＬ情報）に基づいて、表示装置に提示可能なネットワークデータに、放送データ処理装置２において取得してデコードした、放送データのうちの映像に係る映像データを合成して表示装置に提示させる手段である。
【００６７】
具体的には、映像処理手段７は、ネットワークデータプレーン変換手段７ａ、映像データプレーン変換手段７ｂ及びブレンディング処理手段７ｃを備えている。
【００６８】
ネットワークデータプレーン変換手段７ａは、ＢＭＬ情報処理手段５ｅで作成されたネットワークデータプレーンを表示装置に適合する様に変換する手段である。
【００６９】
映像データプレーン変換手段７ｂは、映像データをある大きさに変換する手段である。
【００７０】
ブレンディング処理手段７ｃは、ネットワークデータプレーン変換手段７ａで変換されたネットワークデータプレーンと、映像データプレーン変換手段７ｂで変換された映像データプレーンを図３に示すように合成し、表示装置に提示する手段である。
【００７１】
音声処理手段６は、放送データ処理装置２及びネットワークデータ処理装置３から取得したＢＭＬ情報に含まれる音声情報を、アンプ、スピーカーなどを介して出力する手段である。
【００７２】
時計装置８は、コンテンツ提供サーバ２０にリクエストを送信する時間帯や時間間隔を管理するための時計機能を含んだ装置である。
【００７３】
入力インタフェース装置９は、ユーザデータを設定する場合や放送チャンネルを変更する場合など、ユーザがリモコン等を介して入力したデータを受信し、バス１０を介して制御手段５に送信する手段である。
【００７４】
図５を参照して、本発明の第１の実施の形態に係るコンテンツ提供サーバ２０の機能ブロック図を説明する。
【００７５】
本発明の第１の実施の形態に係る鉄道会社サーバ４０は、運行情報記憶装置２１、ＢＭＬ情報記憶装置２２、運行情報取得手段２３、ＢＭＬ情報生成手段２４、運行情報提供手段２５、通信制御手段３１、入力装置３２、表示装置３３、入出力制御装置３４を備えている。鉄道会社サーバ４０は一般的なコンピュータに、所定の処理を行うソフトウェアプログラムをインストールすることにより実現される。
【００７６】
運行情報取得手段２３は、鉄道会社サーバ４０から運行情報を取得し、運行情報記憶装置２１に記憶する手段である。運行情報取得手段２３が所定の時間間隔で鉄道会社サーバ４０に運行情報のリクエストを送信し運行情報を取得しても良いし、鉄道会社サーバ４０から随時送信される運行情報を受信しても良い。ＢＭＬ情報生成手段２４は、運行情報記憶装置２１に記憶された運行情報に基づいて、ＢＭＬ情報を作成し、ＢＭＬ情報記憶装置２２に記憶する手段である。ここで生成されるＢＭＬ情報は、路線毎、駅毎など、属性に応じて作成されても良いし、ユーザからの要求に応じて動的に作成されても良い。
【００７７】
運行情報提供手段２５は、受信機１からのリクエストに応じて、運行情報記憶装置２１及びＢＭＬ情報記憶装置２２を参照して、運行情報の有無、運行情報を含んだＢＭＬ情報などを送信する手段である。
【００７８】
通信制御手段３１は、通信ネットワーク５０を介して、受信機１や鉄道会社サーバ４０と相互に通信を行う装置で、例えばＬＡＮカード、ＬＡＮボード、モデム、ＴＡなどが含まれる。入力装置３２は、コンテンツ提供サーバ２０へ入力する装置で、キーボード、マウスなどのことであり、表示装置３３は、コンテンツ提供サーバ２０からの出力を表示する装置で、液晶ディスプレイ、ＣＲＴディスプレイなどが含まれる。入出力制御装置３４は、通信制御手段３１、入力装置３２、表示装置３３のそれぞれの入出力を制御し、運行情報取得手段２３、ＢＭＬ情報生成手段２４、運行情報提供手段２５の各手段と仲介する装置である。
【００７９】
ここで、図６を参照して受信機１のハードウェア構成例を説明する。受信機１は、復調部５０１、メイン処理部５０２、外部機器接続部５０３、データ記憶部５０４を備えている。
【００８０】
復調部５０１は、アンテナによって受信されたアンテナ入力信号を復調し、トランスポートストリームが生成されてメイン処理部５０２へ入力される。一方外部機器接続部５０３は、イーサネット（登録商標）制御部５１１、ＩＥＥＥ１３９４制御部５１２、カード制御部５１３などの外部装置とのインタフェースを介して入力された入力信号がメイン処理部５０２へ入力される。メイン処理部５０２においては、復調部５０１及び外部機器接続部５０３より入力された入力信号部に基づいて、音声データ及び映像グラフィックデータを生成する。
【００８１】
メイン処理部５０２は、トランスポートストリーム処理部５０５、ＲＡＭ制御部５０６、ＭＰＥＧビデオオーディオデコーダ５０７、映像グラフィック処理部５０８、ホストＣＰＵ５０９、外部バス制御部５１０を備える。  
ホストＣＰＵ５０９はメイン処理部５０２内部の各処理部や外部機器接続部５０３などの処理部を制御する手段である。  
トランスポートストリーム処理部５０５は、復調部５０１から受信したトランスポートストリームを受信し、受信したトランスポートストリームに対してデマルチプレクス処理を行うことにより、映像データ、音声データ、デジタルテレビのデータ放送で送信されるＢＭＬデータとを抽出する。ここで抽出された映像データ及び音声データは、ＭＰＥＧビデオオーディオデコーダ５０７に入力される。ＭＰＥＧビデオオーディオデコーダ５０７に入力された映像データ及び音声データはデコードされる。デコードされた映像データは映像グラフィック処理部５０８へ入力される、又、音声データはオーディオＤＡＣ５１９へ入力され、オーディオＤＡＣ５１８でオーディオ出力信号が生成され出力される。
【００８２】
一方、トランスポートストリーム処理部５０５で抽出されたデジタル放送データは、データカルーセルで送信されるので、ＲＡＭ制御部５０６を介して一度ＳＤＲＡＭ５１７へ送信されデータが復元された後、映像グラフィック処理部５０８へ入力される。
【００８３】
映像グラフィック処理部５０８においては、ＭＰＥＧビデオオーディオデコーダ５０７から入力された映像データ及びトランスポートストリーム処理部５０５から入力されたＢＭＬデータに対して、映像データプレーン及び放送データプレーンを生成し、これらのデータプレーンに対してブレンディング処理を実行してデジタルビデオ出力信号を生成し出力する。このとき、デジタルビデオ出力信号に基づいてＢＭＬブラウザ上に映像データが表示される。
【００８４】
また、ＢＭＬブラウザ上でユーザ固有のデータが入力されると、入力されたユーザ固有のデータは、フラッシュメモリ５１５、ＳＤＲＡＭ５１７などにセキュアに記憶される。ＢＭＬブラウザは、フラッシュメモリ５１５及びＳＤＲＡＭ５１７を介してユーザ固有のデータを読み出し、外部機器接続部５０３のイーサネット（登録商標）制御部５１１からインターネットを介して、ユーザ固有のデータに基づいてコンテンツ提供サーバ２０にネットワークデータをリクエストする。これに対応して、ＢＭＬブラウザは、ユーザ固有の情報に基づいて、コンテンツ提供サーバ２０からＨＴＴＰ通信によってユーザが必要なネットワークデータを取得する。取得したネットワークデータは、ホストＣＰＵ５０９によって、ＳＤＲＡＭ５１７に格納され、更に映像グラフィック処理部５０８へ入力され、映像データとブレンディング処理されて、ＢＭＬブラウザに表示される。
【００８５】
図１に示した放送データ処理手段２は、図６に示した復調部５０１及びトランスポートストリーム処理部５０５に相当する。制御手段５は、ホストＣＰＵ５０９に実現される手段である。音声処理手段６は、ＭＰＥＧビデオオーディオデコーダ５０７に、映像処理手段７は映像グラフィック処理部５０８にそれぞれ相当する。ネットワークデータ処理装置３は、イーサネット（登録商標）制御部５１１に相当する。記憶装置４は、フラッシュメモリ５１５、ＳＤＲＡＭ５１７に相当する。
【００８６】
また、図６に示した受信機１のハードウェア構成は一例に過ぎず、同様の処理を行うことができれば他の構成を備えても良い。
【００８７】
図７を参照してユーザデータ制御手段５ａによってユーザデータを登録する処理について説明する。
【００８８】
まず、ステップＳ１０１において、ＢＭＬ情報記憶装置４ｂに記憶されたユーザデータ登録ＢＭＬ情報をロードする。ユーザデータ登録ＢＭＬ情報は、予め記憶されていても良いし、ユーザの要請に応じてコンテンツ提供サーバ２０からダウンロードしても良い。
【００８９】
次に、ステップＳ１０２において、ユーザデータ登録ＢＭＬ情報が提示する情報に従って、運行情報を表示する形式を設定する。ここでは例えば図３に示したネットワークデータ提示部１０３の位置などを設定する。更に、ステップＳ１０３において運行情報を取得する条件などを設定する。ここでは、交通機関の路線、方面、駅のいずれか一つ以上のネットワークデータの属性の項目と、コンテンツ提供サーバ２０にネットワークデータの問合を行う日、問合を行う時間帯、問合を行う時間間隔のいずれか一つ以上の、コンテンツ提供サーバ２０に運行情報の取得を要求する条件の項目と、デジタルテレビ１１の表示装置に提示する条件の項目等を記憶する。
【００９０】
最後に、ステップＳ１０４において、設定された情報を、ユーザデータ記憶装置４ａに記憶する。
【００９１】
図８を参照して、ネットワークデータ取得手段５ｂによって、ネットワークデータを取得する処理について説明する。ここでは、まずコンテンツ提供サーバ２０に運行情報の有無を問い合わせ、運行情報がある場合に、運行情報を含んだＢＭＬ情報を受信する場合について説明する。
【００９２】
まず、ステップＳ２０１において、ユーザデータ記憶装置４ａを参照して、運行情報を取得する条件を取得する。ここで、ステップＳ２０２において時計装置８から現在時刻を取得する。
【００９３】
ステップＳ２０３において、現在時刻が運行情報を取得する時刻であった場合、ステップＳ２０４において、コンテンツ提供サーバ２０へ運行情報問合リクエストを送信する。ここで「運行情報を取得する時刻」とは、運行情報を取得する曜日及び時間帯であって、前回リクエストを送信した時刻からインターバル時間を経過した時刻である。一方、現在時刻が運行情報を取得する時刻でなかった場合、ステップＳ２０２において、運行情報を取得する時刻になるまで待機する。
【００９４】
これに対応してステップＳ２０５において、コンテンツ提供サーバ２０から結果が送信されると、運行情報がない場合、ステップＳ２０２に戻り、再び運行情報を取得する時間になるまで待機する。一方、ステップＳ２０５において運行情報がある場合、ステップＳ２０６において、コンテンツ提供サーバ２０へＢＭＬ情報取得リクエストを送信する。
【００９５】
これに対応してステップＳ２０７において、コンテンツ提供サーバ２０から運行情報を含んだＢＭＬ情報を受信すると、ステップＳ２０８において、ＢＭＬ情報処理手段５ｅにＢＭＬ情報をロードさせ、ネットワークデータプレーンを生成し、ステップＳ２０９において、映像処理手段７を介して表示装置に情報を提示する。
【００９６】
更にステップＳ２１０において、コンテンツ提供サーバ２０から随時情報を取得し、映像処理手段７に情報を提示する。ここで取得する情報は、運行情報問合リクエストを送信した結果得られるＢＭＬ情報であっても良いし、例えば表示画面でテロップ表示するテロップ中の文言のみであっても良い。
【００９７】
ここで、ステップＳ２１１においてユーザから終了の指示が出るまで、或いは運行情報を取得する曜日或いは時間帯でなくなるまでステップＳ２０９及びステップＳ２１０の処理を継続し、終了する。
【００９８】
図９を参照して、取得したＢＭＬ情報を提示する処理について説明する。
【００９９】
まず、ステップＳ３０１においてネットワークデータ処理装置３から取得されたＢＭＬ情報を、ＢＭＬ情報記憶装置４ｂから読み出し、ＢＭＬ情報処理手段５ｅによってロードする。更に、ステップＳ３０２において、ＢＭＬ情報処理手段５ｅによってロードしたＢＭＬ情報に従ってネットワークデータプレーンを生成し、映像処理手段７へ出力し、表示装置に適合する様に変換する。
【０１００】
一方ステップＳ３０３において、放送データ処理装置２から取得された映像データを映像処理手段７によって、放送データ提示部１０２に適する大きさに変換する。
【０１０１】
最後に、ブレンディング処理手段７ｃによって、ステップＳ３０２で得られたネットワークデータプレーンと、ステップＳ３０４で得られた映像データプレーンを合成する。
【０１０２】
図１０を参照して、コンテンツ提供サーバ２０の運行情報提供手段２５の処理について説明する。
【０１０３】
まず、図８のステップＳ２０４に対応して、ステップＳ４０１において受信機１から運行情報問合リクエストを受信し、ステップＳ４０２において運行情報記憶装置２１を参照して該当する運行情報を取得し、ステップＳ４０３において運行情報の有無を送信する。
【０１０４】
次に、図８のステップＳ２０６に対応して、ステップＳ４０４において、受信機１からＢＭＬ情報取得リクエストを受信すると、ステップＳ４０５において、ＢＭＬ情報記憶装置２２を参照して該当するＢＭＬ情報を取得し、ステップＳ４０６においてＢＭＬ情報を送信する。
【０１０５】
更に、図８のステップＳ２１０に対応して、ステップＳ４０７において、受信機１からデータ取得リクエストを受信すると、ステップＳ４０８において運行情報記憶装置２１及びＢＭＬ情報記憶装置２２を参照して該当するデータを取得し、ステップＳ４０９において受信機１に送信する。
【０１０６】
図１１乃至図１３を参照して、本発明の第１の実施の形態の受信機１によって受信したデータを提示する画面例について説明する。
【０１０７】
図１１は、放送データを提示しながら、運行情報を提示している場合の画面例である。提示部１０１の放送データ提示部１０２には、放送データ処理装置２から受信した任意の放送データを提示している。
【０１０８】
ネットワークデータ提示部１０３は、テロップ部１１０、運行情報群表示部１２０、操作ボタン部１３０を備えている。テロップ部には、詳細な運行情報が、テロップとして流れている。ここに提示する情報は、コンテンツ提供サーバ２０から随時受信するのが好ましい。
【０１０９】
運行情報群表示部１２０には、第１乃至第５の運行情報提示部１２０ａ乃至１２０ｅを備えている。運行情報提示部は、例えば、「首都圏在来線」、「東北在来線」などエリア毎に別れており、表示するエリアはユーザが設定することができる。ここで例えば、「首都圏在来線」に運行情報がある場合、第１の運行情報提示部１２０ａの背景を他の背景と変更することにより、運行情報があることをユーザに知らせる。
【０１１０】
操作ボタン部１３０は、運行情報群表示部１２０を設定する字幕設定ボタンＢ１３１、時刻表を提示する時刻表ボタンＢ１３２、コンテンツ提供サーバ２０に乗り換えを検索させる乗り換えボタンＢ１３３、コンテンツ利用料を支払う利用登録ボタンＢ１３４を備えている。
【０１１１】
図１２は、図１１の画面において、第２の運行情報提示部１２０ｂをクリックした場合、運行情報詳細提示部１２５に、「東北在来線」の運行情報の詳細を提示する画面である。運行情報詳細提示部１２５は、放送データ提示部１０２に重なる形で表示され、発生日時、路線、理由などの詳細な情報を提示している。
【０１１２】
図１３は、字幕設定ボタンＢ１３１がクリックされた場合、字幕設定提示部１２６でユーザに字幕を設定させる画面である。字幕設定提示部１２６には、エリア毎に表示する／しないを設定することができる。
【０１１３】
図１１乃至図１３の画面においては、エリア毎に運行情報の有無を表示する場合について説明したが、図４に示したような、路線、方面、駅毎に運行情報の有無を表示しても良い、更に、問合を行う時間帯、インターバル、表示を行う条件など、詳細に設定させても良い。
【０１１４】
本発明の第１の実施の形態によれば、放送局から送信される放送データを閲覧しながら、ユーザが設定したコンテンツを提示することができる。
【０１１５】
又、ユーザが設定したコンテンツを通信ネットワーク５０を介して取得するので、ユーザの細かな要求にも適応しやすく、デジタルテレビの特徴の一つであるインタラクティブ性を有効活用することができる。
【０１１６】
更に、表示する条件を指定することができるので、通常は放送データのみを閲覧し、かつ取得したい情報を漏らさず取得することができる。
【０１１７】
又、ユーザデータに複数のレコードを記憶させることにより、例えば家族が共有するテレビにおいて、個人個人がデータを設定することができる。
【０１１８】
（第２の実施の形態）
本発明の第２の実施の形態においては、受信機１がコンテンツ提供サーバ２０によってバスの位置情報を受信する場合について説明する。
【０１１９】
このとき、図１に示した受信機の機能ブロック図のユーザデータ記憶装置４ａに記憶されるユーザデータのデータ構造及びデータの一例を図１４に示す。
【０１２０】
バスの系統、方面、最寄りの停留所のいずれか一つ以上の取得するネットワークデータの属性の項目と、コンテンツ提供サーバ２０に問合を行う日、問合を行う時間帯、問合を行う時間間隔のいずれか一つ以上の、コンテンツ提供サーバ２０にバスの位置情報の取得を要求する条件の項目と、デジタルテレビ１１の表示装置に提示する条件の項目を備えている。第２の実施の形態においては、表示条件は「２停留所手前に到着したら表示」などにするのが好ましい。
【０１２１】
図１５を参照して、ネットワークデータ取得手段５ｂによって、ネットワークデータを取得する処理について説明する。ここでは、ユーザデータ記憶装置４ａに記憶されたバスの位置情報の取得を要求する条件に適合する曜日、時間帯に、バスの情報を取得する場合について説明する。
【０１２２】
まず、ステップＳ５０１において、ユーザデータ記憶装置４ａを参照して、バスの位置情報を取得する条件を取得する。ここで、ステップＳ５０２において時計装置８から現在時刻を取得する。
【０１２３】
ステップＳ５０３において、現在時刻がバスの位置情報を取得する時刻であった場合、ステップＳ５０４において、コンテンツ提供サーバ２０へバスの位置情報取得リクエストを送信する。ここで「バスの位置情報を取得する時刻」とは、バスの位置情報を取得する曜日及び時間帯であって、前回リクエストを送信した時刻からインターバル時間を経過した時刻である。一方現在時刻がバスの位置情報を取得する時刻でなかった場合、ステップＳ５０２において、バスの位置情報を取得する時刻になるまで待機する。
【０１２４】
次にステップＳ５０５において、コンテンツ提供サーバ２０からバスの位置情報を含むＢＭＬ情報を受信すると、ＢＭＬ情報処理手段５ｅにＢＭＬ情報をロードさせ、ネットワークデータプレーンを生成し、ステップＳ５０６において、映像処理手段７を介して表示装置に情報を提示する。
【０１２５】
ここで、ステップＳ５０８においてユーザから終了の指示が出るまで、或いはバスの位置情報を取得する曜日或いは時間帯でなくなるまでステップＳ５０２乃至ステップＳ５０６の処理を継続し、終了する。
【０１２６】
次に、バスのロケーション情報から乗車するバスを選択させ、そのバスに乗車した場合の目的地への乗り換えを案内する処理について説明する。
【０１２７】
まず、ステップＳ６０１において、提示したバスのロケーション情報から乗車するバスをユーザに選択させ取得し、ステップＳ６０２において、選択されたバスが最寄りの停留所に到着する時刻、即ちユーザが指定したバスに乗車する時刻を取得する。更に、ステップＳ６０３においてユーザに目的地を取得させる。
【０１２８】
ステップＳ６０１乃至ステップＳ６０３で取得した情報、即ち、バスの最寄り駅、バスの乗車時刻、目的地の情報をコンテンツ提供サーバ２０に送信し、乗り換えを検索させる。
【０１２９】
ステップＳ６０５において受信した結果を表示装置に提示する。
【０１３０】
図１６を参照して、本発明の第２の実施の形態において受信機１が受信したデータを提示する例について説明する。
【０１３１】
ネットワークデータ提示部１０３は、系統選択部１４０、操作ボタン部１５０、バス情報提示部１６０を備えている。
【０１３２】
系統選択部１４０は、ユーザデータ記憶装置４ａの各々の登録をボタンとし、バス情報提示部１６０に提示する系統を選択させる第１乃至第３の系統ボタンＢ１４０ａ乃至Ｂ１４０ｃを選択させる。第１の系統ボタンＢ１４０ａがクリックされると、「Ｅ系統上り」のバスの位置情報を取得し、バス情報提示部１６０に提示される。
【０１３３】
操作ボタン部１５０は、表示するバスの位置情報を設定する表示設定ボタンＢ１５１、時刻表を提示する時刻表ボタンＢ１５２、コンテンツ提供サーバ２０に乗り換えを検索させる乗り換えボタンＢ１５３、コンテンツ利用料を支払う利用登録ボタンＢ１５４を備えている。
【０１３４】
バス情報提示部１６０は、最寄りの停留所の前後について、いくつかの停留所と、バスの位置を対応づけて提示している。このとき、最寄りの停留所は他の停留所と区別できるように色を変えて提示しておくのが好ましい。図１７においては、最寄りの停留所のすぐ近くにバスが１台、最寄りの２停留所手前に１台あることを示している。図では示していないが、バスの到着時刻なども提示しても良い。バス情報提示部１６０に提示しているバスの系統、方面が分かるように、路線選択部１４０の該当部分を他の部分と区別出来るように色を変えるのが好ましい。
【０１３５】
更に、乗り換え案内を希望する場合は、バス情報提示部１６０から乗車する予定のバスを選択するのが好ましい。例えば、最寄りの２停留所手前のバスを選択することにより、これに乗車した場合の乗り換え案内の結果を取得することができる。
【０１３６】
本発明の第２の実施の形態によれば、乗車するバスをユーザに選択させることにより、出発地や出発時刻を入力することなく、目的地を入力することで、乗り換え案内の結果を取得することができる。
【０１３７】
（その他の実施の形態）
上記のように、本発明の第１及び第２の実施の形態によって記載したが、この開示の一部をなす論述及び図面はこの発明を限定するものであると理解すべきではない。この開示から当業者には様々な代替実施の形態、実施例及び運用技術が明らかとなろう。
【０１３８】
本発明の実施の形態において、ネットワークデータから取得するＢＭＬ情報は映像情報のみを記載したが、音声情報が含まれていても良い。例えば、運行情報がある場合、「○○線に遅延があります」などと、音声で出力しても良い。
【０１３９】
又、本発明の実施の形態においては、ＢＭＬ情報を画面に提示する例について説明したが、ＨＴＭＬでもＸＭＬでもその他の文書形式でも構わない。
【０１４０】
この様な、本発明はここでは記載していない様々な実施の形態等を含むことは勿論である。従って、本発明の技術的範囲は上記の説明から妥当な特許請求の範囲に係る発明特定事項によってのみ定められるものである。
【図面の簡単な説明】
【０１４１】
【図１】本発明の実施の形態に係る受信機の機能ブロック図である。
【図２】本発明の実施の形態に係る受信機を用いて情報を受信するシステム構成図である。
【図３】本発明の実施の形態に係る受信機によって受信したデータを表示装置に表示する画面レイアウトの一例である。
【図４】本発明の第１の実施の形態による受信機のユーザデータ記憶装置に記憶されたデータ構造とデータの一例である。
【図５】本発明の第１の実施の形態による鉄道会社サーバの機能ブロック図である。
【図６】本発明の実施の形態に係る受信機のハードウェア構成図である。
【図７】本発明の第１の実施の形態による受信機によって、ユーザデータを設定する処理を示したフローチャートである。
【図８】本発明の第１の実施の形態による受信機によって、運行情報を取得して提示する処理を示したフローチャートである。
【図９】本発明の第１の実施の形態による受信機によってネットワークデータと放送データを合成する処理を示したフローチャートである。
【図１０】本発明の第１の実施の形態によるコンテンツ提供サーバによって、受信機に運行情報を送信する処理を示したフローチャートである。
【図１１】本発明の第２の実施の形態による受信機において受信したデータを提示する画面の一例であって、放送データを提示しながら、運行情報を提示している場合の画面例である。
【図１２】本発明の第２の実施の形態による受信機において受信したデータを提示する画面の一例であって、図１０の画面において、運行情報詳細提示部に運行情報の詳細を提示する画面である。
【図１３】本発明の第２の実施の形態による受信機において受信したデータを提示する画面の一例であって、字幕設定提示部でユーザに字幕を設定させる画面である。
【図１４】本発明の第２の実施の形態による受信機のユーザデータ記憶装置に記憶されたのデータ構造とデータの一例である。
【図１５】本発明の第２の実施の形態による受信機において、バスの位置情報を取得する処理を示したフローチャートである。
【図１６】本発明の第２の実施の形態において乗車するバスを選択して乗り換え案内の結果を取得する処理を示したフローチャートである。
【図１７】本発明の第２の実施の形態による受信機において受信したデータを提示する画面の一例である。
【符号の説明】
【０１４２】
１…受信機
２…放送データ処理装置
３…ネットワークデータ処理装置
４…記憶装置
４ａ…ユーザデータ記憶装置
４ｂ…ＢＭＬ情報記憶装置
５…制御手段
５ａ…ユーザデータ制御手段
５ｂ…ネットワークデータ取得手段
５ｃ…情報制御手段
５ｄ…制御手段
５ｄ…情報制御手段
５ｅ…ＢＭＬ情報処理手段
６…音声処理手段
７…映像処理手段
７ａ…ネットワークデータプレーン変換手段
７ｂ…映像データプレーン変換手段
７ｃ…ブレンディング処理手段
８…時計装置
９…入力インタフェース装置
１０…バス
１１…デジタルテレビ
２０…コンテンツ提供サーバ
２１…運行情報記憶装置
２２…ＢＭＬ情報記憶装置
２３…運行情報取得手段
２４…ＢＭＬ情報生成手段
２５…運行情報提供手段
３０…放送データ送信機
３０ａ…電波塔
３１…通信制御手段
３２…入力装置
３３…表示装置
３４…入出力制御装置
４０…鉄道会社サーバ
５０…通信ネットワーク
１０１…提示部
１０２…放送データ提示部
１０３…ネットワークデータ提示部
１１０…テロップ部
１２０…運行情報群表示部
１２０ａ〜１２０ｅ…運行情報提示部
１２５…運行情報詳細提示部
１２６…字幕設定提示部
１３０…操作ボタン部
１４０…系統選択部
１４０…路線選択部
１５０…操作ボタン部
１６０…バス情報提示部
５０１…復調部
５０２…メイン処理部
５０３…外部機器接続部
５０４…データ記憶部
５０５…トランスポートストリーム処理部
５０６…ＲＡＭ制御部
５０７…ＭＰＥＧビデオオーディオデコーダ
５０８…映像グラフィック処理部
５０９…ホストＣＰＵ
５１０…外部バス制御部
５１１…イーサネット（登録商標）制御部
５１２…ＩＥＥＥ１３９４制御部
５１３…カード制御部
５１４…ＥＰＲＯＭ
５１５…フラッシュメモリ
５１６…ＲＯＭ
５１７…ＳＤＲＡＭ
５１８…オーディオＤＡＣ
５１９…ＮＴＳＣ／ＰＡＬ／ＳＥＣＡＭエンコーダ
【図１】
2005033764.tif 000003
【図２】
2005033764.tif 000004
【図３】
2005033764.tif 000005
【図４】
2005033764.tif 000006
【図５】
2005033764.tif 000007
【図６】
2005033764.tif 000008
【図７】
2005033764.tif 000009
【図８】
2005033764.tif 000010
【図９】
2005033764.tif 000011
【図１０】
2005033764.tif 000012
【図１１】
2005033764.tif 000013
【図１２】
2005033764.tif 000014
【図１３】
2005033764.tif 000015
【図１４】
2005033764.tif 000016
【図１５】
2005033764.tif 000017
【図１６】
2005033764.tif 000018
【図１７】
2005033764.tif 000019